(57)【特許請求の範囲】
【請求項１】
外洋に通じる水路の両岸又は片岸に、該岸に沿った向きの防潮堤体格納部を備え、該格納部内に、注排水によって水底への着底及び浮上が可能な防潮堤体を、その一端側を水平方向に回動自在に枢支させて収容し、前記防潮堤体を水面に浮上させた状態で前記格納部内収容位置と前記水路を遮断する防潮位置との間を扇形方向に往復移動可能とし、該防潮堤体を前記防潮位置にて着底させることにより自重による重力式の防潮堤となす移動式防潮堤であって、
前記防潮位置の防潮堤体の外洋側面である前面と前記水路の両岸又は片岸の陸上部との間に引張材を斜めに張設するとともに、前記防潮堤体の外洋側面とは反対側の面である背面と前記水路の両岸又は片岸の陸上部との間に引張材を斜めに張設し、前記各引張材をそれぞれ巻き取り及び繰り出しするウインチを前記陸上部に設置し、該各ウインチの操作によって前記防潮堤体の開閉動作を行わせ、
かつ前記防潮堤体の前面側に張設した引張材による緊張力及び前記防潮堤体の重力によって外洋側からの高潮及び波浪に対抗させるようにするとともに、前記防潮堤体の背面側に張設した引張材の緊張力及び前記防潮堤体の重力によって引き潮に対抗させるようにしたことを特徴としてなる移動式防潮装置。
【請求項２】
前記前面側の引張材は、前記防潮堤体に対し、その長手方向に間隔を隔てた複数箇所に先端部を固定して張設してなる請求項１に記載の移動式防潮装置。
【請求項３】
防潮堤体は、中空の函状をなし、内部に注排水することにより浮力調整がなされる函状堤体部と、該函状堤体部の上面に一体化させたパラペット構造体とをもって構成してなる請求項1又は２に記載の移動式防潮装置。
【発明の詳細な説明】
【０００１】
【発明の属する技術分野】
本発明は、外洋に面した河口部や港湾の出入り口等の水路に設備し、高潮や高波の発生時にのみ防潮堤を設置できる移動式防潮装置に関する。
【０００２】
【従来の技術】
従来、高潮発生時に河川や港湾等の外洋に通じる水路を遮断して水害を未然に防止するための防潮堤には、大別して、常時は水底に沈めておき、高潮発生時に水路を遮断するように上昇させる形式のもの、扉体を支柱に支持させておきこれを上下に移動させることによって水路を開閉する形式のもの、扉体を水路の岸に退避させておき必要時に水路を遮断する位置に移動させる形式のものがある。
【０００３】
水底に沈めておく形式のものには、図８示す如き浮上式フラップゲート、図９に示す如き上昇式セクターゲート、図１０に示すゴム製ゲートがある。図８の浮上式フラップゲートは、中空内部の水を排出することによって浮上する扉体１を水底に設置した格納部２内に収容し、一端側の支軸を中心にして起き上がり可能に設置しておき、使用時に、排水することによって同図中仮想線で示すように起き上がらせ、水路を遮断するようにしている。
【０００４】
図９に示す上昇式セクターゲートは、円盤状の端板３に円柱を縦割りにした形状の扉体４を固定しておき、通常時は扉体４を水底に沈めた状態としておき、使用時には端板３を旋回させて扉体４を、同図中仮想線で示すように起き上がらせて水路を遮断するようにしている。
【０００５】
図１０に示すゴム製ゲートは、水底の格納部５に注水によって膨張するゴム製の防潮堤体６を縮小させた状態で収容しておき、使用時に注水し、同図中仮想線で示すように膨張させて水路を遮断するようにしている。
【０００６】
扉体を支柱に支持させておきこれを上下に移動させることによって水路を開閉する形式のものは、図１１に示すバーチカルゲートがあり、これは支柱７，７間に扉体８を上下にスライド自在に支持させ、この扉体８をウインチ等の昇降手段によって昇降させるものであり、常時は扉体８を上昇させておき、使用時に降下させて水路を遮断するようにしている。
【０００７】
また、扉体を水路の岸に退避させておき必要時に水路を遮断する位置に移動させる形式のものとしては、図１２に示す如き水平移動式セクターゲートがあり、これは対岸１１，１１に縦向きの支軸１２，１２を設置し、この各支柱１２を要とした扇形の骨組み１３を介在させてアーチ型の扉体１４を支持させて防潮体１５を構成し、対岸に１１，１１には全体が扇形をした防潮体１５が退避できる退避スペース１６をそれぞれ設けておき、通常時は退避スペース１６内に防潮体１５を収容しておき、必要に応じ、各支軸１２を中心にして扇形方向に回動させ、両扉体１４，１４を水路中央側に移動させ、その先端を互いに突合せ配置にして水路を遮断するようにしている。
【０００８】
【発明が解決しようとする課題】
上述した図８に示す従来の浮上式フラップゲートは、扉体の浮力のみで安定性を保持するものであるため、水面上への突出長さが限られ、扉体を超えて防潮堤内へ流入する水の量が多く、また、水路床へ設置するものであるため、設置工事及び維持管理が困難であるという問題がある。
【０００９】
図９に示す上昇式セクターゲートは、扉体の駆動機構が大掛かりとなるとともに、構造上１つの扉体長さに限界があり、水路幅が大きい場合には、これを複数に分割し設置する必要が生じ、大型船舶が航行する広幅水路の防潮堤には適さないという問題がある。
【００１０】
図１０に示す従来のゴム製ゲートは、構造的に大型化が困難であり、また、水路床へ設置するものであるため、設置工事及び維持管理が困難であるという問題がある。
【００１１】
図１１に示すバーチカルゲートは、扉体の長さに限界があり、水路幅が大きい場合には、これを分割するための支柱が必要となり、大型船舶が航行する広幅水路には適さないという問題がある。
【００１２】
更に、図１２に示す水平移動式セクターゲートは、高波が押し寄せた際に、その応力が支軸に集中することとなり、大きな波力に対抗できないという問題があり、また、扉体の全体形状が扇形であり、これをそれぞれ収容する退避スペースを対岸に設置しなければならないため、遮断しようとする水路の開口部分が広くなればなる程、広い退避スペースを常時確保しておかなければならず、特に港湾では他の港湾設備設置を制約するなどの問題があった。
【００１３】
本発明はこのような従来の問題に鑑み、大型船舶が航行する幅が大きい水路においても、航路を狭めることなく設置ができ、しかも高潮や高波に対しても効果的に対抗させることができ、長大な防潮堤体を使用する場合でも、その移動をスムーズに行うことができると共に不使用時における広い退避スペースを必要としない移動式防潮装置の提供を目的としてなされたものである。
【００１４】
【課題を解決するための手段】
上述の如き従来の問題を解決し、所期の目的を達成するための請求項１の発明は、外洋に通じる水路の両岸又は片岸に、該岸に沿った向きの防潮堤体格納部を備え、該格納部内に、注排水によって水底への着底及び浮上が可能な防潮堤体を、その一端側を水平方向に回動自在に枢支させて収容し、前記防潮堤体を水面に浮上させた状態で前記格納部内収容位置と前記水路を遮断する防潮位置との間を扇形方向に往復移動可能とし、該防潮堤体を前記防潮位置にて着底させることにより自重による重力式の防潮堤となす移動式防潮堤であって、前記防潮位置の防潮堤体の外洋側面である前面と前記水路の両岸又は片岸の陸上部との間に引張材を斜めに張設するとともに、前記防潮堤体の外洋側面とは反対側の面である背面と前記水路の両岸又は片岸の陸上部との間に引張材を斜めに張設し、前記各引張材をそれぞれ巻き取り及び繰り出しするウインチを前記陸上部に設置し、該各ウインチの操作によって前記防潮堤体の開閉動作を行わせ、かつ前記防潮堤体の前面側に張設した引張材による緊張力及び前記防潮堤体の重力によって外洋側からの高潮及び波浪に対抗させるようにするとともに、前記防潮堤体の背面側に張設した引張材の緊張力及び前記防潮堤体の重力によって引き潮に対抗させるようにしたことを特徴とする。
【００１５】
この移動式防潮装置では、大型船舶が航行する広幅で水深の大きい水路であっても、これを支柱等によって分割することなく長大な防潮堤を設置でき、その移動も容易に行え、且つ、大きな高潮や高波に対しても充分に対抗させることができる。また、防潮堤体を不使用時に退避させておく格納部も、水路の岸辺に沿った細長のスペースでよいために大きなデッドスペースを造ることがない。
【００１６】
また、長大な防潮堤体であっても、簡単な操作で迅速に移動させることができる。
【００１７】
請求項２の発明は、前記請求項１の発明において、前面側の引張材は、前記防潮堤体に対し、その長手方向に間隔を隔てた複数箇所に先端部を固定しているものであり、これによって、防潮堤体にかかる高潮力を複数の引張材固定個所に分散させて対抗させることができ、長大な防潮堤体の折損を防止できる。
【００１８】
請求項３の発明は、前記請求項１又は２の発明において、防潮堤体は、中空の函状をなし、内部に注排水することにより浮力調整がなされる函状堤体部と、該函状堤体部の上面に一体化させたパラペット構造体とをもって構成しているものであり、このようにすることにより防潮堤体の機動性が向上するとともに、製造コストが低減される。
【００１９】
【発明の実施の形態】
次に本発明の実施の形態を図面について説明する。
【００２０】
図１は本発明に係る移動式防潮装置の一例の概略を示しており、同図中符号２０は船舶が航行する水路、２１，２１は該水路２０の岸壁、２２，２２は防潮堤体、２３，２３は防潮堤体格納部である。
【００２１】
防潮堤体２２は、図２に示すように、中空函体部２２ａと、その上に設置したパラペット構造体２２ｂとから構成されている。防潮堤体格納部２３は防潮堤体２２が内部に収容されるに充分な長さ及び奥行きに、岸壁２１を陸側に凹ませて構築されており、この防潮堤体格納部２３の一端側内に防潮堤体２２の一端側を水平方向に回動可能に枢支している。
【００２２】
この枢支は、図３に示すように防潮堤体格納部２３の水底に構築した枢支用基礎２４上に縦向の支軸２５を立設し、これを防潮堤体２２の端部を軸受けさせるか、或いは図４に示すように、枢支用基礎２４に球面状の嵌合凹部２６を形成し、これに防潮堤体端部下面に突設した先端が球面状の枢支用突起２７を嵌合させることによってなしてもよい。
【００２３】
両防潮堤体格納部２３，２３の底部及びその一端側底部の両枢支用基礎２４，２４間を結ぶ水路底部には、防潮堤体２２，２２を着底させるための水底基礎２８，２８が構築されている。
【００２４】
両岸壁２１，２１には、水路底部の水底基礎２８より水路外洋側位置に複数の防潮堤体前面側ウインチ３０，３０……が、また前記水底基礎２８より水路奥側位置に防潮堤体背面側ウインチ３１が設置されている。そして、各防潮堤体２２の先端部前面側、即ち外洋側面には、その防潮堤体側岸の防潮堤体前面側ウインチ３０から繰り出される耐潮用の引張材３０ａが連結され、各防潮堤体２２の先端部背面には、その対岸側にある防潮堤体背面側ウインチ３１から繰り出される堤体移動用及び背面側緊張用の引張材３１ａが連結されている。
【００２５】
各防潮堤体前面側ウインチ３０，３０……からの引張材３０ａ，３０ａ……は、図６に示すように防潮堤体２２に対して長手方向に一定間隔を隔てた位置に連結されているとともに、防潮堤体背面側ウインチ３１からの引張材３１ａは先端を複数に分岐させ、前記各引張材３０ａ，３０ａ……に対応させた位置に連結している。
【００２６】
このように構成される移動式防潮装置は、通常時は、図５に示すように防潮堤体２２，２２を、中空函体部２２ａ内の水の量を調整して水底基礎２８から離底させた状態で各防潮堤体格納部２３，２３に収容し、前面側の引張材３０ａを引き込んだ状態で係留しておくか、中空函体部２２ａ内に注水して水底基礎２８上に着底させた状態で定置しておく。
【００２７】
そして、高潮発生時等、防潮堤として機能させる際には、ウインチ３１からの引張材３１ａを繰り出して防潮堤体２２の背面に連結し、係留されている場合にはそれを解いて、また着底されている場合には中空函体部２２ａ内の水を抜いて離底させた後、ウインチ３１を引張方向に作動させる。これと同時に各前面側ウインチ３０からの引張材３０ａを繰り出し、防潮堤体２２の先端側を水路中央側に引き出す。これによって防潮堤体２２を一端側の枢支部を中心にして扇形方向に動作させて、水路底部の水底基礎２８上まで移動させ、両岸からの防潮堤体２２，２２の先端間が突き合わされる状態とする。
【００２８】
この状態で、中空函体２２ａ内に充分に注水して防潮堤体２２を水路底部の水底基礎２８上に着底させる。次いで、背面側ウインチ３１からの引張材３１ａの分岐線材３１ｂを取り外し、図１に示すように引張材３１ａの先端を防潮堤体２２の先端部背面に連結させる。次いで、背面側ウインチ３１を巻き込み方向に作動させて引張材３１ａを引張して緊張力を付与するとともに、前面側ウインチ３０ａを巻き込み方向に作動させて引張材３０ａ，３０ａ…を引張して緊張力を付与する。これによって防潮堤体２２，２２は前後に引張された状態で水底基礎２８上に設置される。
【００２９】
この状態で防潮堤体２２，２２の前面側に押し寄せる高潮や高波に対しては、防潮堤体２２，２２の自重と、前面側に緊張されている引張材３０ａ，３０ａ…の引張力によってこれに対抗し、引き潮に対しては、防潮堤体２２，２２の自重と、背面側に緊張されている引張材３１ａ，３１ａの引張力により対抗する。従って、防潮堤体２２を、その移動を容易にするためにそれ自体で高波に対抗できない程度の軽量な構造とした場合であっても、引張材の併用によって予定の高潮や高波に対抗できる防潮堤とすることができることとなる。
【００３０】
尚、上述の例では水路２０を２分割した長さの２つの防潮堤体２２，２２を水路に両岸に設置しておく場合について示しているが、この他、防潮堤によって遮断する水路幅が比較的小さい場合には、図７に示すように水路２０の片岸側のみに、水路２０を遮断する長さの１つの防潮堤体２２を設置するようにしても良い。尚、図７中の前述した例と同一部分については同一符号を付してその説明を省略する。
【００３１】
【発明の効果】
上述のように、本発明に係る移動式防潮装置は、外洋に通じる水路の両岸又は片岸に、該岸に沿った向きの防潮堤体格納部を備え、該格納部内に、注排水によって水底への着底及浮上が可能な防潮堤体を、その一端側を水平方向に回動自在に枢支させて収容し、前記防潮堤体を水面に浮上させた状態で前記格納部内収容位置と前記水路を遮断する防潮位置との間を扇形方向に往復移動可能とし、該防潮堤体を前記防潮位置にて着底させることにより自重による重力式の防潮堤となすとともに、前記防潮位置の防潮堤体の外洋側面と前記水路の両岸又は片岸の陸上部との間に、ワイヤーケーブル等の耐潮用引張材を斜めに張設し、該引張材による緊張力及び前記防潮堤体の重力によって外洋側からの高潮及び波浪に対抗させるようにしたことにより、防潮堤体自体は軽量であっても耐潮用引張材の併用によって充分な耐潮能力を発揮させることができ、低コストで高能力の防潮堤が得られる。
【００３２】
また、防潮堤体を不使用時に退避させておく防潮堤体格納部も広い面積を要せず、しかも大型船舶が航行する広幅で水深の深い水路であってもこれを分割することなく長大な防潮堤を設置できる。
【図面の簡単な説明】
【図１】本発明に係る移動式防潮装置の一例の概略構成を示す平面図である。
【図２】図１中のＡ−Ａ線切断端面図である。
【図３】図１に示す移動式防潮装置の防潮堤体枢支部の一例を示す縦断面図である。
【図４】同上の他の例の縦断面図である。
【図５】図１に示す移動式防潮装置の防潮堤体格納状態を示す平面図である。
【図６】同上の防潮堤体引出し時の状態を示す平面図である。
【図７】本発明に係る移動式防潮装置の他の例の概略構成を示す平面図である。
【図８】従来の浮上式フラップゲートを使用した防潮堤の縦断面図である。
【図９】従来の上昇式セクターゲートを使用した防潮堤の縦断面図である。
【図１０】従来のゴム製ゲートを使用した防潮堤の縦断面図である。
【図１１】従来のバーチカルゲートを使用した防潮堤の正面図である。
【図１２】従来の水平移動式セクターゲートを使用した防潮堤の平面図である。
【符号の説明】
２０ 水路
２１ 岸壁
２２ 防潮堤体
２２ａ 中空函体部
２２ｂ パラペット構造体
２３ 防潮堤体格納部
２４ 枢支用基礎
２５ 支軸
２６ 嵌合凹部
２７ 枢支用突起
２８ 水底基礎
３０ 防潮堤体前面側ウインチ
３０ａ 引張材
３１ 防潮堤体背面側ウインチ
３１ａ 引張材
３１ｂ 分岐線材
【図１】
0004026173.tif 000002
【図２】
0004026173.tif 000003
【図３】
0004026173.tif 000004
【図４】
0004026173.tif 000005
【図５】
0004026173.tif 000006
【図６】
0004026173.tif 000007
【図７】
0004026173.tif 000008
【図８】
0004026173.tif 000009
【図９】
0004026173.tif 000010
【図１０】
0004026173.tif 000011
【図１１】
0004026173.tif 000012
【図１２】
0004026173.tif 000013